(57)【要約】      （修正有）【課題】着用から脱する際、フロントファスナーを外すことを容易とするような潜水衣の構成を提供する。【解決手段】前側胴部を被服する部位の裏面に、上下方向に着脱用のフロントファスナー２を設けている潜水衣において、裏面部のうち、フロントファスナー２の上端両側の位置、又は潜水衣の内面で前記上端両側から手首をカバーする領域に至る途中の位置に、後方両端が固着されており、かつ先方両端に至る長さが、当該先方両端を潜水衣の身体の前側をカバーする領域から外側に配置した場合に、着衣者の両側掌における指先によって把持され得る程度であるフロントファスナー２離脱用の紐３を設ける。【選択図】図３
0003152355.tif 000002
【実用新案登録請求の範囲】
【請求項１】
前側胴部を被服する部位の裏面に、上下方向に着脱用のフロントファスナーを設けている潜水衣において、裏面部のうち、フロントファスナーの上端両側の位置、又は潜水衣の内面で前記上端両側から手首をカバーする領域に至る途中の位置に、後方両端が固着されており、かつ先方両端に至る長さが、当該先方両端を潜水衣の身体の前側をカバーする領域から外側に配置した場合に、着衣者の両側掌における指先によって把持され得る程度であるフロントファスナー離脱用の紐を設けていることに基づく潜水衣。
【請求項２】
フロントファスナーを閉じた状態において、紐の先方両端又はその近傍が潜水衣の前側裏面と面ファスナーを介して着脱自在であることを特徴とする請求項１記載の潜水衣。
【請求項３】
紐が伸縮弾性を有していることを特徴とする請求項１記載の潜水衣。
【請求項４】
紐の後方両端が襟首に固着されていることを特徴とする請求項１，２，３項の何れか１項に記載の潜水衣。
【考案の詳細な説明】
【技術分野】
【０００１】
本考案は、ダイビング、河川及び海洋内の調査等に使用し、かつ前側裏面において、着脱用のフロントファスナーを採用している潜水衣において、当該フロントファスナーを容易に外すことが出来るような潜水衣に関するものである。
【背景技術】
【０００２】
潜水衣の胸部及び胴部を覆う前側部の裏面が、図２に示すように上下方向に配設されているフロントファスナー２によって着脱自在とする構成が広汎に採用されている。
【０００３】
潜水衣を装着する場合には、両側の腕カバー部分に腕を挿通させた上で、下側に位置しているフロントファスナーの取っ手を掴み、上側に移動することによって装着に必要な着用を実現することが出来る。
【０００４】
これに対し、潜水衣１を着用状態から脱する場合には、フロントファスナー２を外したのち、一方側の手によって他方の手の側の襟の付け根を把持した状態にて、肩及び肘を外すという作業を要するが、このような作業は以外と煩雑である。
【０００５】
然るに、従来技術における潜水衣１においては、前記のような着用を脱する際の煩雑な作業を解決する為に必要かつ有用な構成を提唱している訳ではない。
【０００６】
因みに、特許文献１は、潜水衣、即ちダイビングスーツとファスナーの双方を開示しているが、ファスナーはあくまでスーツとそれに使用するブーツ側に設けられており、前記フロントファスナーについては格別の構成を開示している訳ではない。
【先行技術文献】
【特許文献】
【０００７】
【特許文献１】実開平６-２３８９７
【考案の概要】
【考案が解決しようとする課題】
【０００８】
本考案は、着用から脱する際、フロントファスナーを着用し、かつ脱衣を容易とするような潜水衣の構成を提供することを課題としている。
【課題を解決するための手段】
【０００９】
前記課題を解決するため、本考案の基本構成は、前側胴部を被服する部位の裏面に、上下方向に着脱用のフロントファスナーを設けている潜水衣において、裏面部のうち、フロントファスナーの上端両側の位置、又は潜水衣の内面で前記上端両側から手首をカバーする領域に至る途中の位置に、後方両端が固着されており、かつ先方両端に至る長さが、当該先方両端を潜水衣の身体の前側をカバーする領域から外側に配置した場合に、着衣者の両側掌における指先によって把持され得る程度であるフロントファスナー離脱用の紐を設けていることに基づく潜水衣からなる。
【考案の効果】
【００１０】
前記基本構成に基づき、本考案においては潜水衣の着衣者は、紐の先方両端、又は当該両端に至る中途部位を指先によって把持し、両側に引っ張ることによって、フロントファスナーの上端から下側端部迄フロントファスナーを外した状態とすることが出来、潜水衣の着用状態からの離脱を容易に実現することが可能となる。
【図面の簡単な説明】
【００１１】
【図１】紐の両端を左右両側に引っ張ることによって、潜水衣の着用からの離脱を実現する状態を示す見取り図である。
【図２】フロントファスナーが前側裏面の上下方向に配設されていることを示す潜水衣の部分見取り図である。
【図３】前記基本構成に関する見取り図であって、（ａ）は紐の内側端部をフロントファスナーの上端の位置に固着し、かつフロントファスナーを開く前段階における背面側の状態を示しており、（ｂ）は紐の内側端部をフロントファスナーの上端近傍（やや下側）に固着し、既に開いた状態を実現している裏面側の状態を示している。
【考案を実施するための形態】
【００１２】
本考案においては、前側裏面に配設されているフロントファスナーの上端両側又はその近傍に、紐の後方両端を固着し、当該紐を介してファスナーの離脱状体を実現していることに基本的特徴を有している。
【００１３】
紐の内端の固着状態は、図３（ａ）、（ｂ）に示す通りであって、図３（ａ）のようにファスナー２を閉じた状態から図１示すように着用者が紐３の先方両端又は当該両端に至る中途部位を両側の指先によって把持し、両腕によって左右両側に引っ張った場合には、図３（ｂ）に示すようにファスナー２は相互に離脱し合い、開いた状態を実現することが出来る。
図３（ａ）は、紐３の後方両端をファスナー２の上端両側に固着した実施形態を示しており、図３（ｂ）は、紐３の後方両端をファスナー２の上端両側の近傍に設けた実施形態を示す。
しかしながら、前記解決手段の項にて指摘したように、紐３の後方両端を固着する位置は、前記のような上端両側の近傍だけでなく、潜水衣の内面において、前記ファスナー２の上端両側が手首をカバーする領域の途中の部位をも選択することが出来る。
但し、何れの場合においても、紐３の先方両端に至る長さは、当該先方両端を潜水衣の身体前側領域から外側に配置した場合（後方両端が例えば腕部をカバーする内側に固着されている場合には、紐３が当該腕部をカバーしている内側部分から首部又はその付近をカバーしている領域を挿通して外側に配置された場合）には、着衣者の両側掌における指先によって把持される程度であることを必要とする（実際には、紐３の後方両端を腕部をカバーする内側領域に設ける場合は少なく、図３（ａ）（ｂ）に示すように、ファスナー２の上端両側又はその近傍に設ける場合が多い。）。
【００１４】
図１に示すように、紐３を左右両側に引っ張ることによってファスナー２が開いた離脱状態を実現し得ることから、従来技術の場合のように、着用者が一方の部位を襟元の内側に挿入してファスナー２の取っ手を下側に移動させるという煩雑な作業を免れることが可能となる。
【００１５】
紐３は、着用している段階では、外側に露出することは潜水作業の支障となり得ることから、潜水衣１を着用している段階では紐３の先方両端に至る全体は潜水衣１の前側裏面に配設された状態となっている。
【００１６】
但し、一本の紐３が潜水衣１の裏面の上側から垂れ下がった状態は不安定であり、特に紐３が長い場合には、内側の被服と接触することによる不快感を生ずる場合がある。
【００１７】
このような状況を考慮し、フロントファスナー２を閉じた状態において、紐３の先方両端又はその近傍が潜水衣１の前側裏面と面ファスナーを介して着脱自在であることを特徴とする実施形態を好的に採用することが出来る。
【００１８】
フロントファスナー２は、前側裏面の上端に至っていることから、襟首の根元迄配設されている場合が多い。
【００１９】
このような状況を反映して、紐の内側端３１を襟首に固着されていることを特徴とする実施形態は、紐３の固着という製造工程を容易に実現し得る点、及びファスナー２を上側から容易に開放し得る点において、極めて便利である。
【実施例】
【００２０】
実施例においては、紐３が伸縮弾性を有していることを特徴としている。
【００２１】
このような伸縮弾性を有する紐３を採用した場合には、着用者は紐３の先方端部３２又は当該端部に至る中途部位を把持して、急激に左右両側に引っ張った後、当該紐３の弾性力を利用してフロントファスナー２の相互の離脱状態を速やかに実現することが出来る。
しかも、このような伸縮弾性を有する紐３の場合には、伸縮弾性を有していない紐３の場合よりも、短い設計であっても本考案の作用効果を達成することができる。
【産業上の利用可能性】
【００２２】
本考案は、全てのタイプの潜水衣１に利用することが可能である。
【符号の説明】
【００２３】
１  潜水衣
２  ファスナー
３  紐
３１  紐の内側端
３２  紐の外側端
４  ファスナーカバー面
【図１】
0003152355.tif 000003
【図２】
0003152355.tif 000004
【図３】
0003152355.tif 000005